(57)【特許請求の範囲】
【請求項１】
記録材上のトナー像を加熱及び加圧するためのニップ部をその間で形成する加熱ベルト及び加圧ローラと、前記加熱ベルトに密着したまま移動する記録材を分離前に冷却する冷却手段と、を有する光沢化装置において、
前記加熱ベルトは、前記加圧ローラよりも平滑化された表面を有し、
前記加熱ベルトがトナー像が形成された記録材の面と接触しながら回転するときに、前記加熱ベルトに接触されて前記ニップ部を通過するトナー像は、前記冷却手段を通過した後に分離されて高光沢な画像となり、
前記加圧ローラは、前記加熱ベルトよりも粗い表面を有し、表面に半球状の凹みが規則的に形成され、
前記加圧ローラがトナー像が形成された記録材の面と接触しながら回転すると共に、前記冷却手段が前記加熱ベルトに接触される場合に比べて冷却強度が低下又は停止されるときに、前記加圧ローラに接触されて前記ニップ部を通過するトナー像は、前記冷却手段を通過した後に分離されて前記加熱ベルトに接触される場合に比べて低い光沢の画像となることを特徴とする光沢化装置。
【請求項２】
画像を形成する画像形成部から搬送される記録材が前記加熱ベルト及び前記加圧ローラのニップに到達する第１経路と、
前記画像形成部及び前記ニップの間で前記第１経路から分岐する第２経路と、
搬送されるシートを前記第１経路と前記第２経路のいずれに通すかを切替える切替手段と、を有し、
前記画像形成部から搬送される記録材が直接に前記第１経路に進む場合には、前記加熱ベルトが懸架される前記ニップ部のローラの方が前記加圧ローラよりも高い温度に設定され、
前記画像形成部から搬送される記録材が前記第２経路に進んだ後に前記第１経路に進む場合には、前記加圧ローラの方が前記加熱ベルトが懸架される前記ニップ部のローラよりも高い温度に設定されることを特徴とする請求項１に記載の光沢化装置。
【請求項３】
上記第１の回転体の光沢度（６０°）は８０以上１１０以下であり、上記第２の回転体の光沢度（６０°）は１０以上６０以下であることを特徴とする請求項１又は２の光沢化装置。
【請求項４】
上記第１の回転体と上記第２の回転体の表面粗さＲｚ１、Ｒｚ２はともに０．５μｍ以上２０μｍ以下であり、上記第１の回転体と上記第２の回転体の平均山間隔Ｓｍ１、Ｓｍ２は１ｍｍ以上３ｍｍ以下、５０μｍ以上５００μｍ以下であり、上記第１の回転体と上記第２の回転体の表面粗さＲａ１、Ｒａ２は０．１μｍ以上０．９μｍ以下、１μｍ以上３μｍ以下であることを特徴とする請求項１乃至請求項３のいずれか１項に記載の光沢化装置。
【発明の詳細な説明】
【技術分野】
【０００１】
本発明は、複写機、プリンタ、ファクシミリ、これらの複合機等の画像形成装置に用いられる光沢化装置に関するものである。
【背景技術】
【０００２】
従来、異なる光沢性の画像形成をする技術として、光沢性の異なる複数の領域からなる定着ベルトを採用し、出力する光沢度に応じて使用する定着ベルトの領域を選択する方法が特許文献１に開示されている。
【０００３】
特許文献２では加熱後の記録材料を分離するときの冷却温度を変えることで光沢度を変える技術が開示されている。ここでは冷却の強度を変えたり冷却部での分離位置を変えることで冷却分離の状態から高温分離の状態まで分離温度を変えることによって出力物の光沢を変えるという技術である。
【０００４】
【特許文献１】特開２００４−３２５９３４号公報
【特許文献２】特開平０５−３３３６４３号公報
【発明の開示】
【発明が解決しようとする課題】
【０００５】
しかしながら、上記従来技術で例えば光沢画像とマット画像を出力できるようにした場合には次のような課題があった。
【０００６】
光沢画像のみ、あるいはマット画像のみを連続で出力しようとする場合には、定着ベルトの出力しようとする画像の種類に対応した領域しか画像形成に利用されない。このため、定着ベルトの周長全体を有効に使えず、定着ベルトの回転量に対して出力物の生産性（スループット）が低くなる。さらに、画像形成に利用していない領域も常に回転し続けるので定着ベルトの機械的、熱的疲労に対しても不利である。
【０００７】
また光沢面を持った定着ベルトを使用して分離温度を高くした場合には光沢を下げることはできる。しかし写真印画紙で使われるラスターや絹目などと呼ばれるような微粒面の半光沢調が表現できないという課題がある。
【０００８】
そこで本発明では定着部材の全周を有効に利用し、出力物の生産性を落とさずに光沢画像とマット画像や半光沢画像を選択的に出力可能な光沢化装置を提供することを目的とする。
【課題を解決するための手段】
【０００９】
上記目的を達成するための本発明に係る光沢化装置の代表的な構成は、記録材上のトナー像を加熱及び加圧するためのニップ部をその間で形成する加熱ベルト及び加圧ローラと、前記加熱ベルトに密着したまま移動する記録材を分離前に冷却する冷却手段と、を有する光沢化装置において、前記加熱ベルトは、前記加圧ローラよりも平滑化された表面を有し、前記加熱ベルトがトナー像が形成された記録材の面と接触しながら回転するときに、前記加熱ベルトに接触されて前記ニップ部を通過するトナー像は、前記冷却手段を通過した後に分離されて高光沢な画像となり、前記加圧ローラは、前記加熱ベルトよりも粗い表面を有し、表面に半球状の凹みが規則的に形成され、前記加圧ローラがトナー像が形成された記録材の面と接触しながら回転すると共に、前記冷却手段が前記加熱ベルトに接触される場合に比べて冷却強度が低下又は停止されるときに、前記加圧ローラに接触されて前記ニップ部を通過するトナー像は、前記冷却手段を通過した後に分離されて前記加熱ベルトに接触される場合に比べて低い光沢の画像となることを特徴とする。
【発明の効果】
【００１０】
このような構成とすることで以下のような効果が得られる。
【００１１】
第１のモードにおいて、トナー画像面を高光沢な定着ベルトに接する向きに通紙することで光沢画像を出力できる。
【００１２】
第２のモードにおいて、トナー画像面を低光沢な第２の加熱部材に接する向きに通紙することで低光沢なマット画像を出力できる。
【００１３】
第１のモード、第２のモードのいずれにおいても、連続して画像形成した場合において、高生産性を確保できる。
【発明を実施するための最良の形態】
【００１４】
本発明に係る光沢化装置の実施形態について、図を用いて説明する。
【００１５】
（画像形成装置）
図１は本実施形態の画像形成装置の構成図である。図１に示すように、画像形成装置は中間転写体を用いたカラープリンタに光沢化装置である平滑化処理部（平滑化処理手段２０）を組み合わせたものである。
【００１６】
画像形成手段は４つの画像形成ステーションが略水平に配置され、図１の左よりイエローＹ、マゼンタＭ、シアンＣ、ブラックＫの各色現像剤像を形成する画像形成ステーションが配置されている。各画像形成ステーションは現像剤の色が異なる以外は同じ構成である。
【００１７】
各画像形成ステーションには、感光体ドラム１Ｙ、１Ｍ、１Ｃ、１Ｋの周囲に一次帯電部材２Ｙ、２Ｍ、２Ｃ、２Ｋ、画像露光ユニット３Ｙ、３Ｍ、３Ｃ、３Ｋ、現像装置４Ｙ、４Ｍ、４Ｃ、４Ｋ、クリーニング装置５Ｙ、５Ｍ、５Ｃ、５Ｋが配置されている。
【００１８】
また、感光体ドラム１に当接するように中間転写体である中間転写ベルト７１が図示しないモータによって駆動する駆動ローラ７４、従動ローラ７２、バックアップローラ７３に掛け渡され、回転可能に設けられている。そして、中間転写ベルト７１を挟んで感光体ドラム１の対向位置に一次転写ローラ６Ｙ、６Ｍ、６Ｃ、６Ｋが設けられている。従動ローラ７２はテンションローラを兼ねていて中間転写ベルト７１がたるまない様に構成されている。
【００１９】
バックアップローラ７３と対向しては二次転写ロ−ラ９が配置されいて転写に必要な転写バイアスを要求するために高圧電源と接続されている。バックアップローラ７３のシート搬送方向上流にはレジストローラ８があり、シート搬送方向下流には定着器１０が設けられている。定着器１０は定着ローラ１１と加圧ローラ１２を有し、定着ローラ１１または定着ローラ１１と加圧ローラ１２には、熱源であるヒータが内蔵されている。
【００２０】
画像形成装置は、定着器１０のシート搬送方向下流に搬送経路切り替え手段３４を有し、搬送経路切り替え手段３４のシート搬送方向下流に平滑化処理手段２０を有している。
【００２１】
図２は搬送経路切り替え手段３４の動作を説明する図である。図２に示すように、送経路切り替え手段３４は回転軸３４ａを中心にして羽根が回転可能な構成となっている。
【００２２】
定着器１０を通過した転写シートＰを案内する搬送経路は、第一の経路、第二の経路を有している。第一の経路は、転写シートＰを図２中右から左へ搬送して平滑化処理手段２０へ搬送する。第二の経路（スイッチバック経路）は、転写シートＰを図２中下方向へ搬送してスイッチバックして第一の経路へ搬送する。搬送経路切り替え手段３４が図２（ａ）の実線で示す位置にある場合には、転写シートＰは図２中下方向へ案内され、第二の経路へ搬送される。搬送経路切り替え手段３４が図２（ｂ）の実線で示す位置にある場合には、転写シートＰは図２中左方向へ案内され、第一の経路へ搬送される。
【００２３】
（画像形成装置の動作）
画像形成装置全体はプロセス速度１３０ｍｍ／秒で動作する。画像形成に際しては、図１の反時計回りに回転する感光体ドラム１の表面が一次帯電部材２によって一様に帯電され、画像露光ユニット５から画信号に応じたレーザ光が照射されて静電潜像が形成される。そして、この潜像が現像装置３によって現像剤により現像剤像（トナー像）として現像されて可視像化される。
【００２４】
現像剤像は一次転写ローラ６へのバイアス印加によって、中間転写ベルト７１と一次転写ローラ６とのニップ部である一次転写部において中間転写ベルト７１に一次転写される。
【００２５】
そして、各画像形成ステーションによって形成されたイエロー、マゼンタ、シアン、ブラックの各色現像剤像が中間転写ベルト７１に重ねて転写されることで中間転写ベルト７１上にカラー画像が形成される。
【００２６】
バックアップローラ７３と二次転写ローラ９は対向して二次転写ニップ部を構成している。中間転写ベルト７１上のトナー画像位置と同期してレジストローラ対８が転写シートＰを転写ニップ部へ送り込む。
【００２７】
二次転写ローラ９への転写バイアス印加により、トナー画像は転写シートＰに二次転写されて画像記録される。
【００２８】
トナー像の転写された転写シートＰは定着器１０に搬送される。定着ローラ１１は表面が１８０℃に温調制御され、加圧ローラ１２は表面が１５０℃に温調制御されている。定着ローラ１１と加圧ローラ１２は総圧５０ｋｇで加圧されて定着ニップを形成している。転写シートＰが定着ニップを通過することによって加熱と加圧によってトナーは転写シートＰに定着される。
【００２９】
画像形成装置は、高光沢な画像を出力する高光沢モードと、低光沢な画像を出力するマット画像出力モード（低光沢モード）を選択可能である。高光沢モードの場合には、搬送経路切り替え手段３４は、図２（ｂ）の実線の位置にあり、定着器１０を通過した転写シートＰをそのまま平滑化処理手段２０へ搬送する。マット画像出力モードの場合には、搬送経路切り替え手段３４は、図２（ａ）の実線の位置にあり、定着器１０を通過した転写シートＰを第二の経路でスイッチバックした後、平滑化処理手段２０へ搬送する。
【００３０】
（転写シートＰ）
トナー受像層を持った転写シートＰについて説明する。図３は転写シートＰの断面図である。
【００３１】
図３に示すように、本実施形態で用いる転写シートＰは、ベースとして原紙４２の片面に樹脂層４３としてポリエチレン樹脂をラミネート加工やコーティングによって形成したいわゆるＲＣ原紙（レジン・コート原紙）４１を用いた。ＲＣ原紙４１の樹脂の表面性は最終的なプリント出力物の表面性を低下させないためには高平滑に仕上げたものが望ましい。そのＲＣ原紙４１に対して、片面の最表層にはトナー受像層４５を設ける、必要によっては中間層４４を設けてもよい。
【００３２】
トナー受像層４５はポリエステルなどの熱可塑性樹脂を用いている。ガラス転移温度（Ｔｇ）は４０℃〜１００℃の範囲が好ましい。トナー受像層４５の厚みは５以上３０μｍ以下程度の厚みが良く、使用する画像形成装置で形成するトナーの量によって最適値にすることができる。
【００３３】
転写シートＰ全体の坪量は写真らしい風合いを出すこととプリンタでの搬送性の観点から１００ｇ／ｍ２〜３００ｇ／ｍ２が好ましく、１７０ｇ／ｍ２〜２５０ｇ／ｍ２がより好ましい。
【００３４】
（平滑化処理手段２０）
平滑化処理手段２０は、定着ベルト２３、加熱ローラ２１、冷却ファン２５、２６を有している。加熱ローラ（加熱部材）２１は、定着ベルト（第１の回転体）（加熱ベルト）２３の内側に設けられ、内部に熱源を有している。冷却ファン（冷却手段）２５、２６は、加熱ローラ２１からプロセス方向下流側に設けられている。冷却ファン２５、２６よりも下流にはテンションローラ（分離ローラ）２４で構成される分離部がある。加圧ローラ（第２の回転体）２２は、定着ベルト２３の外側で加熱ローラ２１と対向する位置に一定の圧力で加圧し、定着ニップを形成している。すなわち、定着ベルト２３、加圧ローラ２２は、記録材上のトナー像を加熱及び加圧するためのニップ部をその間で形成する。
【００３５】
定着ベルト２３の基材には、１００μｍのポリイミドベルトを使用し、その表面にシリコーンゴムを１００μｍ塗布した。定着ベルト２３表面の加工には内面を鏡面加工した外型を使用した。ゴムを塗布したベルトを内型の内面に密着させて架橋することで定着ベルト２３の表面を鏡面（光沢表面）に加工した。
【００３６】
定着ベルト２３の表面はＪＩＳＺ８７４１鏡面光沢度−測定方法により６０°光沢度で約９０〜１００、ＪＩＳＢ０６０１表面性状による表面粗さＲｚを約０．５μｍに仕上げた。
【００３７】
なお、定着ベルト２３の光沢度（６０°）は、８０以上１１０以下であればよい。定着ベルト２３の表面粗さＲｚ１は０．５μｍ以上２０μｍ以下、好ましくは０．５μｍ以上１５μｍ以下であればよい。定着ベルト２３の凹凸の平均山間隔Ｓｍ１は１ｍｍ以上３ｍｍ以下である。定着ベルト２３の算術平均粗さＲａ１が０．１μｍ以上０．９μｍ以下、好ましくは０．２μｍ以上０．６μｍ以下である。
【００３８】
定着ベルト２３はとしてポリイミドなどの熱硬化性樹脂を用いているが、他の耐熱性樹脂や金属などを使うこともできる。弾性層としてのゴム層は耐熱性のあるシリコーンゴム、フッ素ゴムなどが利用できる。必要に応じて表層としてフッ素やシリコーン系の高離型性層を持つ。表層を持たない場合は弾性層にフッ素やシリコーン系のゴムを用いることができる。
【００３９】
定着ベルト２３の全体の厚みは、１００以上３００μｍ以下程度である。定着ベルト２３の全体の厚みが薄すぎると、定着ベルト自身の強度や受像層へのトナーの埋め込みのための加圧が不十分となる。定着ベルト２３の全体の厚みが厚すぎると、定着ベルト２３を加熱するために必要な熱量が多くなるのと定着ベルト２３の弾性層自身の変形でトナーの埋め込みが不十分になる。
【００４０】
図４は加圧ローラ２２の断面図である。図４に示すように、加圧ローラ２２は、アルミニウム等の熱伝導の良い強度のあるローラー形状の部材である。加圧ローラ２２は、アルミニウムのシャフト２２１にシリコーンゴム２２２を５ｍｍ巻いて表面にＰＦＡチューブ２２３を設けたものを使用した。図５は加圧ローラ２２の表面の断面図である。図５に示すように、表面は２０００番のサンドペーパーで研磨して６０°光沢度を７０、Ｒｚを約２μｍに仕上げて、マット表面としてある。
【００４１】
なお、加圧ローラ２２の光沢度（６０°）は、１０以上６０以下、好ましくは１０以上３０以下であればよい。加圧ローラ２２の表面粗さＲｚ２は、０．５μｍ以上２０μｍ以下、好ましくは０．５μｍ以上１５μｍ以下であればよい。加圧ローラ２２の凹凸の平均山間隔Ｓｍ２は、５０μｍ以上５００μｍ以下、好ましくは１００μｍ以上３００μｍ以下である。加圧ローラ２２の算術平均粗さＲａ２は、１μｍ以上３μｍ以下である。
【００４２】
熱源は一般的なハロゲンヒータを使うことができ、電磁誘導加熱を使った所謂ＩＨ方式の加熱手段を使うことも可能である。
【００４３】
加圧ローラ２２は、金属ローラや金属ローラ表面にゴムなどの弾性層を持ったローラ部材である。必要に応じて加圧ローラ２２に熱源を備えて一定温度に温調しても良い。加熱ローラ２１と加圧ローラ２２は定着ベルト２３を挟んで総圧５０ｋｇで加圧されている。加圧ローラ２２は定着ベルト２３へ転写シートＰを押圧する。
【００４４】
冷却ファン２５、２６は、定着ベルト２３に密着したまま移動する記録材を分離前に冷却する。冷却ファン２５、２６としては、転写シートＰの温度が上昇しすぎないように、かつ転写シートＰの分離部までに受像層とトナーがそれぞれのガラス転移点温度以下まで冷却出来るように、加圧部分を通過した転写シートＰを速やかに冷却する機能が必要である。冷却ファン２５、２６の構成は、冷却ファンによる送風でも良く、水やその他の冷媒を内包したヒートパイプやヒートシンクを接触させても良い。冷却は転写シートＰと定着ベルト２１が密着しながら搬送されている状態の片側または両側から冷却可能である。
【００４５】
分離部は、密着した転写シートＰと定着ベルト２３を分離する部分であって、転写シートＰが自身のこし（こわさ）によって定着ベルト２３から分離（剥離）するようにテンションローラ２４に定着ベルト２３を巻き付けて構成される。
【００４６】
（高光沢モード）
高光沢モードは、加圧ローラ２２よりもその表面が平滑化された定着ベルト２３とトナー像が接触するように記録材をニップ部へ導入させることで画像を出力する。
【００４７】
高光沢モードにおいて、定着ベルト２３は、加熱ローラ２１に巻きつけられた部分で表面温度が１３０℃に制御されている。加圧ローラ２２は表面温度が９０℃に制御されている。
【００４８】
搬送経路切り替え手段３４は図２（ｂ）の位置にあり、定着器１０を通過した転写シートＰは第一の経路を通過して平滑化処理手段２０へ搬送される。
【００４９】
定着ベルト２３に接するときの転写シートＰの温度は約８０℃である。転写シートＰは、定着ベルト２３に接することでさらに加熱されて１００〜１１０℃となり、トナーとともにトナー受像層も軟化、溶融する。加圧ローラ２２の加圧によって軟化したトナー受像層にトナーは押し込まれて平滑化する。
【００５０】
トナーの押し込まれた受像面は、定着ベルト２３に密着したまま搬送されて冷却ファン２５、２６を通過する。トナーの押し込まれた受像面がテンションローラ２４までに５０℃以下に冷却されて固化すると、転写シートＰは自身のコシによって定着ベルト２３から分離して機外に排出される。受像面は定着ベルト２３の鏡面が転写されて鏡面光沢をもった出力物となる。
【００５１】
出力物をＪＩＳＺ８７４１鏡面光沢度−測定方法により、日本電色工業株式会社製ハンディ型光沢計（ＰＧ−１Ｍ）で測定した。その結果６０°光沢度の値が８８〜１００の値であった。
【００５２】
高光沢モードにおいて、転写シートＰの画像面が定着ベルト２３に接しているときには加圧ローラ２２の表面は転写シートＰの非画像面側に接している。
【００５３】
このとき、加圧ローラ２２の表面形状を実施例のような形状にした場合でも、加圧ローラ２２には弾性層２２２があるので加圧ローラ２２の表面自身が変形している。そのため軟化、溶融していない非画像面に対しては加圧ローラ２２の形状が転写シートＰに写されることは無く、画像の光沢度には影響しなかった。
【００５４】
（マット画像出力モード）
マット画像出力モードは、加圧ローラ２２とトナー像が接触するように記録材をニップ部へ導入させることで画像を出力する。
【００５５】
マット画像出力モードにおいて、定着ベルト２３と加圧ローラ２２の温度制御は、高光沢モードと同じ条件とした。これにより、出力モードを切り替えた場合でも温度変更による待ち時間を無くすことができる。
【００５６】
マット画像出力モードでは、画像面は加圧ローラ２２に接するため、画像面側の加熱温度が高光沢モードに比べて低い状態になる。しかし、マット画像は、光沢画像に比べて最終的に求める画像の平滑性が低いため、画像面側の加熱温度を高光沢モードほど高くする必要がなく、高光沢モードと同じ温度条件を採用できる。
【００５７】
搬送経路切り替え手段３４は図２（ａ）の位置にあり、定着器１０を通過した転写シートＰを第二の経路へ搬送し、第二の経路でスイッチバックして反転させて、受像面を加圧ローラ２２に接する向きで平滑化処理手段２０へ搬送する。加圧ローラ２２に接するときの転写シートＰの温度は約７５℃である。
【００５８】
転写シートＰは、加圧ローラ２２に接することでさらに加熱されて９０℃となり、トナーとともにトナー受像層も軟化、溶融する。加圧ローラ２２の加圧によって軟化したトナー受像層にトナーは押し込まれて平滑化する。マット画像出力モードでは冷却ファン２５、２６を停止して（またはベルト冷却強度を弱くして）、加圧ローラ２２から転写シートＰが高温で分離する。
【００５９】
トナーの押し込まれた受像面は、冷却される前に加圧ローラ２２から分離して定着ベルト上を搬送されて機外に排出される。受像面がマットな状態の出力物が得られる。
【００６０】
出力物ＪＩＳＺ８７４１鏡面光沢度−測定方法により、日本電色工業株式会社製ハンディ型光沢計（ＰＧ−１Ｍ）で測定した。その結果６０°光沢度の値が４０〜５０のマット調画像となった。
【００６１】
（他の加圧ローラ１２２）
図６は他の加圧ローラ１２２の表面の断面図である。図６に示すように、加圧ローラ１２２の表面の加工には外型の内面に直径３００μｍ程度の半球状の凹みを規則的に成形したものを使用した。シャフト２２１にシリコーンゴム２２２を塗付したものを内型に押し当てた状態で成形することで加圧ローラ１２２の表面に規則的なパターン（直径３００μｍ程度の半球状の凹み）を形成した。
【００６２】
加圧ローラ１２２を使用して画像出力する。定着ベルト２３は加熱ローラ２１に巻きつけられた部分で表面温度を１００℃に制御し、加圧ローラ１２２は表面温度を１１０℃に制御し、加圧ローラ２２を用いた場合と同様のマット画像出力モードで画像形成をした。画像表面はトナー段差がなく、一様に規則的な半球形状が形成された。出力物の光沢度は６０°光沢度の値が２０〜３０となった。
【００６３】
（画像出力物の受像層表面）
図７に画像出力物の受像層表面の状態を示す図である。
【００６４】
図７（ａ）は定着器１０を通しただけで平滑化処理手段２０を通していない画像出力物の受像層表面の状態を示す図である。図７（ａ）に示すように、表面にはトナーＴと受像層Ｌの段差が残っている。
【００６５】
図７（ｂ）は高光沢モードで出力した画像出力物の受像層表面の状態を示す図である。図７（ｂ）に示すように、トナーＴは受像層Ｌに押し込まれて受像層Ｌとの段差はほとんどなく、表面性も良い光沢面の状態である。
【００６６】
図７（ｃ）は加圧ローラ２２を用いてマット画像出力モードで画像形成した際の画像出力物の受像層表面の状態を示す図である。図７（ｃ）に示すように、トナーＴは受像層Ｌに押し込まれて受像層Ｌとの段差はほとんどなく、表面は加圧ローラ２２の表面性によって粗面となっている。
【００６７】
図７（ｄ）は加圧ローラ１２２を用いてマット画像出力モードで画像形成した際の画像出力物の受像層表面の状態を示す図である。図７（ｄ）に示すように、トナーＴは受像層Ｌに押し込まれて受像層Ｌとの段差はほとんどなく、表面は規則的な半球形状の仕上がりとなっている。
【００６８】
（効果）
加圧ローラ２２、１２２のどちらを用いて高光沢モードで画像形成しても、定着ベルト２３の表面を全域利用可能である。マット画像出力モードでは加圧ローラ２２、１２２の表面を全域利用可能なため、どちらのモードでも連続画像形成が可能となる。
【００６９】
このため、定着ベルト２３の周長全体を有効に使うことができ、定着ベルト２３の回転量に対して出力物の生産性（スループット）が低下することを抑制できる。また、定着ベルト２３の機械的、熱的疲労を低下できる。
【００７０】
定着ベルト２３の全周を有効に利用し、出力物の生産性を落とさずに光沢画像とマット画像や半光沢画像を選択的に出力できる。すなわち、高光沢モードでは、光沢度の高い高級感のある画像が得られた。加圧ローラ２２を用いたマット画像出力モードでは、落ち着きのあるしっとりとした画像が得られた。加圧ローラ１２２を用いたマット画像出力モードでは、中間の光沢を持ちながらも指紋汚れなどのつきにくい半光沢な画像が得られた。
【図面の簡単な説明】
【００７１】
【図１】本実施形態の画像形成装置の構成図である。
【図２】搬送経路切り替え手段の動作説明図である。
【図３】転写シートの断面図である。
【図４】加圧ローラの断面図である。
【図５】加圧ローラの表面の断面図である。
【図６】他の加圧ローラの表面の断面図である。
【図７】出力物の表面の断面図である。
【符号の説明】
【００７２】
Ｌ        …受像層
Ｐ        …転写シート
Ｔ        …トナー
１        …感光体ドラム
２        …一次帯電部材
３        …画像露光ユニット
４        …現像装置
５        …クリーニング装置
６        …一次転写ローラ
８        …レジストローラ
９        …二次転写ローラ
１０    …定着器
１１    …定着ローラ
１２、２２、１２２  …加圧ローラ
２０    …平滑化処理手段（光沢化装置）
２１    …加熱ローラ
２３    …定着ベルト
２４    …テンションローラ
２５、２６    …冷却ファン
３４    …搬送経路切り替え手段
３４ａ  …回転軸
４１    …ＲＣ原紙
４２    …原紙
４３    …樹脂層
４４    …中間層
４５    …トナー受像層
７１    …中間転写ベルト
７２    …従動ローラ
７３    …バックアップローラ
７４    …駆動ローラ
２２１  …シャフト
２２２  …シリコーンゴム
２２３  …ＰＦＡチューブ
【図１】
0005241155.tif 000002
【図２】
0005241155.tif 000003
【図３】
0005241155.tif 000004
【図４】
0005241155.tif 000005
【図５】
0005241155.tif 000006
【図６】
0005241155.tif 000007
【図７】
0005241155.tif 000008